(57)【要約】【課題】第三者による無線タグに記録されたタグ情報の解読を防止する。【解決手段】無線タグ２０ａの第１タグ情報は、無線タグ装置３０に記録されたキーコードを用いて暗号化する。無線タグ２０ｂの第２タグ情報は、暗号化されていない第１タグ情報を用いて暗号化する。復号化するときには、無線タグ２０ａの第１タグ情報をキーコードを用いて復号化し、その復号情報を用いて無線タグ２０ｂの第２タグ情報を復号化する。【選択図】図３
2007094873.tif 000002
【特許請求の範囲】
【請求項１】
第１無線タグ及び第２無線タグとの間で電波を送受信するアンテナ部と、該アンテナ部に備えられ、前記第１無線タグに記録すべき第１タグ情報を暗号化及び復号化するためのキーデータを記録したキーデータ記録部と、を備えた無線タグ装置を用いた無線タグ情報隠蔽方法であって、
前記第１タグ情報を前記キーデータ記録部に記録されたキーコードを用いて暗号化するステップと、
暗号化されていない前記第１タグ情報を用いて前記第２無線タグに書き込むべき第２タグ情報を暗号化するステップと、
を含むことを特徴とする無線タグ情報隠蔽方法。
【請求項２】
第１無線タグ及び第２無線タグとの間で電波を送受信するアンテナ部と、該アンテナ部に備えられ、前記第１無線タグに記録すべき第１タグ情報を暗号化及び復号化するためのキーデータを記録したキーデータ記録部と、を備えた無線タグ装置を用いた無線タグ情報隠蔽方法であって、
前記キーデータ記録部から前記キーデータを読み出すステップと、
前記キーデータを用いて暗号化された第１タグ情報を、前記読み出したキーデータを用いて復号化するステップと、
前記第１タグ情報を暗号化用のキーデータとして用いることにより暗号化された第２タグ情報を、前記復号化された第１タグ情報を用いて復号化するステップと、
を含むことを特徴とする無線タグ情報隠蔽方法。
【請求項３】
第１無線タグ及び第２無線タグとの間で電波を送受信するアンテナ部であって、前記第１無線タグに書き込むべき第１タグ情報を暗号化及び復号化するためのキーデータを記録したキーデータ記録部を備えたアンテナ部と、
前記アンテナ部が受信した電波に基づく電気信号により前記第１タグ情報及び前記第２無線タグに記録された第２タグ情報を読み取るリーダ部と、を備え、
前記リーダ部は、前記第１タグ情報を前記キーデータに基づいて暗号化し、かつ、前記暗号化された第１無線タグ情報を、前記キーデータを用いて復号化する第１暗号化・復号化演算部と、
暗号化されていない前記第１タグ情報を暗号化用のキーとして第２タグ情報を暗号化し、かつ前記第１暗号化・復号化演算部が復号化して得た第１タグ情報を用いて前記暗号化された第２タグ情報を復号化する第２暗号化・復号化演算部と、
を備えることを特徴とする無線タグ装置。
【請求項４】
前記アンテナ部と前記リーダ部とは別体に構成され、電気的に接続される、
ことを特徴とする請求項３に記載の無線タグ装置。
【請求項５】
第１無線タグ及び第２無線タグとの間で電波を送受信する無線タグ装置用アンテナであって、前記第１無線タグに書き込むべき第１タグ情報を暗号化及び復号化するためのキーデータを記録したキーデータ記録部を備えた無線タグ装置用アンテナに接続するためのリーダ接続部と、
前記無線タグ装置用アンテナが受信した電波に基づく電気信号により前記第１タグ情報及び前記第２無線タグに記録された第２タグ情報を読み取るリーダ部と、を備え、
前記リーダ部は、前記第１タグ情報を前記キーデータに基づいて暗号化し、かつ、前記暗号化された第１タグ情報を、前記キーデータを用いて復号化する第１暗号化・復号化演算部と、
暗号化されていない前記第１タグ情報を暗号化用のキーとして第２タグ情報を暗号化し、かつ前記第１暗号化・復号化演算部が復号化して得た第１タグ情報を用いて前記暗号化された第２タグ情報を復号化する第２暗号化・復号化演算部と、
を備えることを特徴とする無線タグ装置。
【請求項６】
前記キーデータは、前記無線タグ装置に接続されたコンピュータ装置により書き込まれる、
ことを特徴とする請求項３乃至５の何れか一つに記載の無線タグ装置。
【請求項７】
第１無線タグ及び第２無線タグとの間で電波を送受信するアンテナ部と、該アンテナ部に備えられ、前記第１無線タグに記録すべき第１タグ情報を暗号化及び復号化するためのキーデータを記録したキーデータ記録部と、を備えた無線タグ装置を用いた無線タグ情報隠蔽システムであって、
前記第１タグ情報を前記キーデータ記録部に記録されたキーコードを用いて暗号化する手段と、
暗号化されていない前記第１タグ情報を用いて前記第２無線タグに書き込むべき第２タグ情報を暗号化する手段と、
を含むことを特徴とする無線タグ情報隠蔽システム。
【請求項８】
第１無線タグ及び第２無線タグとの間で電波を送受信するアンテナ部と、該アンテナ部に備えられ、前記第１無線タグに記録すべき第１タグ情報を暗号化及び復号化するためのキーデータを記録したキーデータ記録部と、を備えた無線タグ装置を用いた無線タグ情報隠蔽システムであって、
前記キーデータ記録部から前記キーデータを読み出す手段と、
前記キーデータにより暗号化された第１タグ情報を前記読み出したキーデータを用いて復号化する手段と、
前記暗号化されていない第１タグ情報を用いて暗号化された第２タグ情報を、前記復号化された第１タグ情報を用いて復号化する手段と、
を含むことを特徴とする無線タグ情報隠蔽システム。
【発明の詳細な説明】
【技術分野】
【０００１】
本発明は、無線タグ情報隠蔽方法、無線タグ装置、及び無線タグ情報隠蔽システムに係り、特に第三者の無線傍受によるタグ情報の流出を防止する技術に関する。
【背景技術】
【０００２】
外部通信装置との間で無線通信を行うことにより、タグ情報を送受信する無線タグ（Radio Frequency Identification Tag）では、無線タグ装置との間で無線通信を行う際にタグ情報を読み取られる危険性がある。この危険性に対し、タグ情報を暗号化して送信する様々な技術がある。例えば特許文献１には、複数のＩＣタグがある場合に、第１のＩＣタグ１内に記録されるデータを第２のＩＣタグ２に記録されたデータを用いて暗号化及び復号化することにより、タグ情報を隠蔽する技術が開示されている。特許文献２には、非接触ＩＣタグに固有のＩＤを用いた暗号化及び復号化技術が開示されている。特許文献３には、タグに格納されている情報を許可された範囲でのみ読取れるようにする技術が開示されている。また、特許文献４には、商品に添付された非接触識別タグが取り外されたことを検知すると該非接触識別タグの機能を変更することにより非接触識別タグへのアクセスに対するセキュリティを強化する技術が開示されている。
【特許文献１】特開２００５−９２６２５号公報
【特許文献２】特開２００５−１００２０５号公報
【特許文献３】特開２００５−１３５２５１号公報
【特許文献４】特開２００５−１６５６２１号公報
【発明の開示】
【発明が解決しようとする課題】
【０００３】
生産工場などで製品の製造履歴を無線タグに書き込む際には、無線タグを添付した物品が順次一の作業現場に送られる。このとき、無線タグ毎に異なる種類のキーを用いてタグ情報を暗号化及び復号化するためには、その都度無線タグ装置に格納されたキーを変更する必要があり、手間がかかるという問題がある。また、一つの製品又は商品に複数の無線タグを取り付ける場合、個々の無線タグ毎にキーを用意しなければならないとすると多くのキーが必要となり、そのキーの管理が煩雑になる。
【０００４】
本発明は、上記問題に鑑みてなされたものであり、容易に無線タグのタグ情報を異なるキーで暗号化及び復号化し、更にキーの管理のより簡易に行うことができる技術を提供することを目的とする。
【課題を解決するための手段】
【０００５】
上記目的を達成するために、本発明に係る無線タグ情報隠蔽方法は、第１無線タグ及び第２無線タグとの間で電波を送受信するアンテナ部と、該アンテナ部に備えられ、前記第１無線タグに記録すべき第１タグ情報を暗号化及び復号化するためのキーデータを記録したキーデータ記録部と、を備えた無線タグ装置を用いた無線タグ情報隠蔽方法であって、前記第１タグ情報を前記キーデータ記録部に記録されたキーコードを用いて暗号化するステップと、暗号化されていない前記第１タグ情報を用いて前記第２無線タグに書き込むべき第２タグ情報を暗号化するステップと、を含むことを特徴とする。
【０００６】
これにより、タグ情報を暗号化したキーデータを記録した無線タグ装置を用いてタグ情報を受信しない限り、タグ情報を解読することができず、第三者により無線傍受されたとしてもタグ情報の流出を防ぐことができる。また、複数の無線タグがある場合に、一つのキーコードを用いて複数の無線タグのタグ情報を暗号化することができ、無線タグと同数のキーコードを用意する必要がない。
【０００７】
また、本発明に係る無線タグ情報隠蔽方法は、第１無線タグ及び第２無線タグとの間で電波を送受信するアンテナ部と、該アンテナ部に備えられ、前記第１無線タグに記録すべき第１タグ情報を暗号化及び復号化するためのキーデータを記録したキーデータ記録部と、を備えた無線タグ装置を用いた無線タグ情報隠蔽方法であって、前記キーデータ記録部から前記キーデータを読み出すステップと、前記キーデータを用いて暗号化された第１タグ情報を、前記読み出したキーデータを用いて復号化するステップと、前記第１タグ情報を暗号化用のキーデータとして用いることにより暗号化された第２タグ情報を、前記復号化された第１タグ情報を用いて復号化するステップと、を含むことを特徴とする。
【０００８】
これにより、第１タグ情報はキーコードを用いて暗号化し、第2タグ情報は、暗号化されていない第１タグ情報を用いて暗号化しているため、キーコードと、無線タグ情報の復号化順序がわからなければどの無線タグの情報も読み取ることができず、セキュリティの強化を図ることができる。
【０００９】
また、本発明に係る無線タグ装置は、第１無線タグ及び第２無線タグとの間で電波を送受信するアンテナ部であって、前記第１無線タグに書き込むべき第１タグ情報を暗号化及び復号化するためのキーデータを記録したキーデータ記録部を備えたアンテナ部と、前記アンテナ部が受信した電波に基づく電気信号により前記第１タグ情報及び前記第２無線タグに記録された第２タグ情報を読み取るリーダ部と、を備え、前記リーダ部は、前記第１タグ情報を前記キーデータに基づいて暗号化し、かつ、前記暗号化された第１無線タグ情報を、前記キーデータを用いて復号化する第１暗号化・復号化演算部と、暗号化されていない前記第１タグ情報を暗号化用のキーとして第２タグ情報を暗号化し、かつ前記第１暗号化・復号化演算部が復号化して得た第１タグ情報を用いて前記暗号化された第２タグ情報を復号化する第２暗号化・復号化演算部と、を備えることを特徴とする。
【００１０】
上記第１暗号化・復号化演算部と第２暗号化・復号化演算部とは、同一の処理ユニットにより構成しても良いし、別の処理ユニットにより構成してもよい。
【００１１】
これにより、タグ情報を暗号化したキーデータを記録した無線タグ装置を用いてタグ情報を受信しない限り、タグ情報を解読することができず、第三者により無線傍受されたとしてもタグ情報の流出を防ぐことができる。また、複数の無線タグがある場合に、一つのキーコードを用いて複数の無線タグのタグ情報を暗号化することができ、無線タグと同数のキーコードを用意する必要がない。更に、第１タグ情報はキーコードを用いて暗号化し、第2タグ情報は、暗号化されていない第１タグ情報を用いて暗号化しているため、キーコードと、無線タグ情報の復号化順序がわからなければどの無線タグの情報も読み取ることができず、セキュリティの強化を図ることができる。
【００１２】
また、前記アンテナ部と前記リーダ部とは別体に構成され、電気的に接続されるように構成してもよい。
【００１３】
これにより、キーデータを記憶したアンテナ部の可搬性を向上させることができる。
【００１４】
また、本発明に係る無線タグ装置は、第１無線タグ及び第２無線タグとの間で電波を送受信する無線タグ装置用アンテナであって、前記第１無線タグに書き込むべき第１タグ情報を暗号化及び復号化するためのキーデータを記録したキーデータ記録部を備えた無線タグ装置用アンテナに接続するためのリーダ接続部と、前記無線タグ装置用アンテナが受信した電波に基づく電気信号により前記第１タグ情報及び前記第２無線タグに記録された第２タグ情報を読み取るリーダ部と、を備え、前記リーダ部は、前記第１タグ情報を前記キーデータに基づいて暗号化し、かつ、前記暗号化された第１タグ情報を、前記キーデータを用いて復号化する第１暗号化・復号化演算部と、暗号化されていない前記第１タグ情報を暗号化用のキーとして第２タグ情報を暗号化し、かつ前記第１暗号化・復号化演算部が復号化して得た第１タグ情報を用いて前記暗号化された第２タグ情報を復号化する第２暗号化・復号化演算部と、を備えることを特徴とする。
【００１５】
これにより、キーデータを記録したアンテナを取り替えることができ、異なるキーデータにより暗号化された無線タグのタグ情報を一の無線タグ装置により読み取ることができる。
【００１６】
また、前記キーデータは、前記無線タグ装置に接続されたコンピュータ装置により書き込まれてもよい。
【００１７】
これにより、キーデータをコンピュータ装置で管理することができる。
【００１８】
また、本発明に係る無線タグ情報隠蔽システムは、第１無線タグ及び第２無線タグとの間で電波を送受信するアンテナ部と、該アンテナ部に備えられ、前記第１無線タグに記録すべき第１タグ情報を暗号化及び復号化するためのキーデータを記録したキーデータ記録部と、を備えた無線タグ装置を用いた無線タグ情報隠蔽システムであって、前記第１タグ情報を前記キーデータ記録部に記録されたキーコードを用いて暗号化する手段と、暗号化されていない前記第１タグ情報を用いて前記第２無線タグに書き込むべき第２タグ情報を暗号化する手段と、を含むことを特徴とする。
【００１９】
また、本発明に係る無線タグ情報隠蔽システムは、第１無線タグ及び第２無線タグとの間で電波を送受信するアンテナ部と、該アンテナ部に備えられ、前記第１無線タグに記録すべき第１タグ情報を暗号化及び復号化するためのキーデータを記録したキーデータ記録部と、を備えた無線タグ装置を用いた無線タグ情報隠蔽システムであって、前記キーデータ記録部から前記キーデータを読み出す手段と、前記キーデータにより暗号化された第１タグ情報を前記読み出したキーデータを用いて復号化する手段と、前記暗号化されていない第１タグ情報を用いて暗号化された第２タグ情報を、前記復号化された第１タグ情報を用いて復号化する手段と、を含むことを特徴とする。
【発明の効果】
【００２０】
本発明によれば、容易に無線タグのタグ情報を異なるキーで暗号化及び復号化することができる。
【発明を実施するための最良の形態】
【００２１】
以下添付図面に従って本発明に係る無線タグ情報隠蔽方法、無線タグ装置、及び無線タグ情報隠蔽システムの好ましい実施の形態について詳説する。
【００２２】
＜第１実施形態＞
［システムの概略構成］
図１は、本発明に係る無線タグ通信システム１の全体構成を示す概念図である。本実施形態に係る無線タグ通信システム１は、カメラ１０の製造履歴を管理するため、カメラ１０の生産現場で使用されるシステムである。カメラ１０に貼付された三つの無線タグ２０ａ、２０ｂ，２０ｃ（以下「２０ａ〜ｃ」と記載する。）と、無線タグ２０ａ〜ｃのタグ情報の書き込み及び読み取りを行う無線タグ装置３０と、無線タグ装置３０に接続され、暗号化及び復号化を行うためのキーコードを入力するコンピュータ装置６０とを備える。無線タグ装置３０とコンピュータ装置６０とは、ＬＡＮを介して接続しても良い。
【００２３】
無線タグ２０ａ〜ｃには、カメラ１０の製造履歴情報をタグ情報として書き込む。例えば、無線タグ２０ａには、カメラ１０に搭載するメイン基盤に関する情報を書き込み、無線タグ２０ｂには、カメラ１０に搭載する特殊ユニット、例えばＣＣＤ、レンズなどに関する情報を書き込み、無線タグ２０ｃには、カメラ１０の外装に関する情報を書き込む。図１では、カメラ１０に三つの無線タグ２０ａ〜ｃを添付したが、無線タグの個数は複数あればよく、三つに限らない。
【００２４】
無線タグ装置３０は、無縁タグ２０ａ〜ｃと電波の送受信を行うアンテナ部４０と、無線タグ２０ａ〜ｃにタグ情報を書き込んだり、アンテナ部４０が受信した電波に基づく電気信号によりタグ情報を読み取ったりするリーダ・ライタ部５０と、を備える。本実施形態にかかる無線タグ装置３０は、アンテナ部４０とリーダ・ライタ部５０とを別体に構成し、アンテナ部４０の接続端子４３と、リーダ・ライタ部５０の接続端子５１ａと、を電気的に接続可能に構成するが、アンテナ部４０とリーダ・ライタ部５０とを一体に構成しても良い。アンテナ部４０の大きさは、無線タグ２０ａ〜ｃとの送受信を行う距離（電波の出力）及び指向性に依存するが、近距離であれば公知のバーコードリーダ程度の大きさで構成される。
【００２５】
次に図２に基づいて、無線タグ通信システム１の構成について説明する。図２は、無線タグ通信システム１の機能を説明するためのブロック図である。
【００２６】
無線タグ２０ａは、その無線タグ２０ａをそれぞれに固有に識別するためのＩＤ情報と、ユーザが所望する情報とを記録するメモリ部２１と、無線タグ２０ａ〜ｃの動作を制御する制御部２２と、制御部２２がメモリ部２１から読み取ったデジタル信号をアナログ信号に変換するための変調部２３と、無線タグ２０ａのアンテナ２５が受信した電波をアナログ信号からデジタル信号に変換するための復調部２４と、無線タグ２０を駆動するための電力を生成する電源生成部２６とを備える。無線タグ２０ａがアクティブ型である場合には、電源生成部２６は、電池を内蔵して構成し、パッシブ型である場合には、アンテナ２５が受信した電波の搬送波を電力として利用する機能を備えて構成される。上記メモリ部２１は、ＩＤ情報を記録するＩＤエリア２１ａとユーザが所望するタグ情報を記録するユーザエリア２１ｂとを備える。無線タグ２０ｂ，ｃは、上記無線タグ２０ａと同様の構成であるため説明を省略する。
【００２７】
無線タグ装置３０のアンテナ部４０は、無線タグ２０ａ〜ｃとの間で電波の送受信を行うためのアンテナ４１と、無線タグ２０のタグ情報を暗号化及び復号化するためのキーコードを記録するためのメモリ部４２と、リーダ・ライタ部５０に接続するためのインターフェース（Ｉ／Ｆ）部４３と、を備える。リーダ・ライタ部５０に接続するためのインターフェース（Ｉ／Ｆ）部５１ａ及びＬＡＮやコンピュータ装置６０と接続するためのＩ／Ｆ部５１ｂと、Ｉ／Ｆ部５１ａを介して受信したアンテナ部４０からのアナログ信号を増幅するための受信増幅部５２と、アナログ信号をデジタル信号に変換するための復調部５３と、無線タグ２０ａ〜ｃに記録可能なタグ情報をコンピュータ装置６０が取り扱える情報に変換処理（プロトコル変換）したり、その逆の処理をしたりするデータ変換部５４と、アンテナ部４０からメモリ部４２に記録されたキーコードを取得して暗号化及び復号化処理を行う暗号化・復号化演算部５５と、データ変換部５４のデータをデジタル信号からアナログ信号に変換する変調部５６と、アナログ信号を無線通信するために増幅する送信増幅部５７と、リーダ・ライタ部５０の動作を制御する制御部５８と、無線タグ２０にタグ情報を書き込むための書込部５９を備える。これにより、コンピュータ装置６０においてキーコードを管理することができる。
【００２８】
［処理の流れ］
図３に基づいて本実施形態に係る無線タグ情報隠蔽方法の動作を説明する。図３は、無線タグ情報隠蔽方法の動作を説明するための概念図である。以下、無線タグ２０ａに書き込むべきタグ情報を「第１タグ情報」といい、無線タグ２０ｂ書き込むべきタグ情報を「第２タグ情報」といい、無線タグ２０ｃに書き込むべきタグ情報を「第３タグ情報」という。図１の例では、第１タグ情報がメイン基盤に関する情報であり、第２タグ情報が特殊ユニットに関する情報であり、第３タグ情報が外装に関する情報である。
【００２９】
図３（ａ）は、無線タグ２０ａ〜ｃにタググ情報を暗号化して書き込むときの処理を示す。
【００３０】
第１暗号化処理では、無線タグ装置３０のアンテナ部４０に備えられたメモリ部４２に格納されたキーコードを用いて、第１タグ情報を暗号化する。そして、上述のキーコードを用いて暗号化された第１タグ情報を無線タグ２０ａに書き込む。
【００３１】
第２暗号化処理では、暗号化する前の第１タグ情報を用いて第２タグ情報を暗号化する。そして、暗号化された第２タグ情報を無線タグ２０ｂに書き込む。
【００３２】
第３暗号化処理では、第２暗号化処理と同様に、暗号化する前の第１二タグ情報を用いて第３タグ情報を暗号化する。そして、暗号化された第３タグ情報を無線タグ２０ｃに書き込む。
【００３３】
このように、最初に書き込まれる第１タグ情報は、無線タグ装置３０に記録されたキーコードを用いて暗号化するが、その次に書き込まれる第２、第３タグ情報は、その直前に書き込まれる第１、第２タグ情報を暗号化キーとして用いることにより暗号化処理される。
【００３４】
次に、図３（ｂ）は、無線タグ２０ａ〜ｃにタググ情報を読み出して復号化する処理を示す。
【００３５】
第１復号化処理では、無線タグ装置３０のアンテナ部４０に備えられたメモリ部４２に格納されたキーコードと、無線タグ２０から受信した暗号化されたた第１タグ情報を読み取る。暗号化する。そして、上述のキーコードを用いて暗号化された第１タグ情報を復号化する。
【００３６】
第２復号化処理では、第１復号化処理により得られた無線タグ２０ａの復号情報（暗号化する前の第１タグ情報に相当する）を復号化キーとして、無線タグ２０ｂから受信した暗号化され第２タグ情報を復号化する。
【００３７】
同様に、第３復号化処理では、第２復号化処理と同様に、第２復号化処理により得られた無線タグ２０ｂの復号情報（暗号化する前の第２タグ情報に相当する）を復号化キーとして、無線タグ２０ｃから受信した暗号化され第３タグ情報を復号化する。
【００３８】
このように、最初に復号化する第１タグ情報は、無線タグ装置３０に記録されたキーコードを用いて復号化するが、その次に復号化する第２、第３タグ情報は、その直前の復号化処理により得られた復号情報を復号キーとして用いることにより、複数の無線タグ２０ａ〜ｃがある場合に、所定の復号化順序に沿って復号化処理を進めなければタグ情報を読み取ることができず、セキュリティの向上を図ることができる。
【００３９】
図４に基づいて暗号化処理の流れを説明する。図４は、暗号化処理の流れを示すフローチャートであって、図４（ａ）は、暗号化処理の全体の流れを示すフローチャート、図４（ｂ）は、第１暗号化処理を示すフローチャート、図４（ｃ）は、第２暗号化処理を示すフローチャート、図４（ｄ）は、第３暗号化処理を示すフローチャートである。
【００４０】
Ｓ１では第１暗号化処理が行われる。
【００４１】
Ｓ１０１では、無線タグ装置３０の暗号化・復号化演算部５５は、メモリ部２１からキーコードを読み出す（Ｓ１０１）。
【００４２】
Ｓ１０２では、キーコードを基に暗号化・復号化部５５がタグ情報を暗号化する（Ｓ１０２）。
【００４３】
コンピュータ装置６０は、各無線タグ２０ａ〜ｃに固有のＩＤ情報と、各無線タグ２０ａ〜ｃに書き込まれる第１〜３タグ情報とを対応づけて管理する。更にコンピュータ装置６０には、無線タグ２０ａ〜ｃを暗号化及び復号化する際の順序を管理情報として格納しておくことが望ましい。この管理情報は、無線タグ２０ａ〜ｃには記録することなく、コンピュータ装置６０のみが格納しておく。これにより、コンピュータ装置６０にアクセスできない第三者が、無線タグ２０ａ〜ｃの暗号化及び復号化順序を知ることを防ぐことができる。
【００４４】
無線タグ装置３０の制御部５８は、Ｉ／Ｆ部５１ｂを介して接続されたコンピュータ装置６０から第１タグ情報を受信し、暗号化・復号化演算部５５にその第１タグ情報を送出する。暗号化・復号化演算部５５は、第１タグ情報をメモリ部４２から取得したキーコードを用いて暗号化する。
【００４５】
Ｓ１０３では、無線タグ装置３０が、書込部５９により無線タグ２０ａに暗号化された第１タグ情報を書き込む（Ｓ１０３）。暗号化された第１タグ情報は、無線タグ２０ａのメモリ部２１のユーザエリア２１ｂに書き込まれる。
【００４６】
Ｓ２では第2暗号化処理が行われる。
【００４７】
Ｓ２０１では、無線タグ装置３０がコンピュータ装置６０から第１タグ情報を取得する（Ｓ２０１）。
【００４８】
Ｓ２０２では、第１タグ情報を基に暗号化・復号化部５５が第2タグ情報を暗号化する（Ｓ２０２）。無線タグ装置３０の制御部５８は、Ｉ／Ｆ部５１ｂを介して接続されたコンピュータ装置６０から第2タグ情報を受信し、暗号化・復号化演算部５５に第2タグ情報を送出する。暗号化・復号化演算部５５は、第１タグ情報を用いてその第2タグ情報を暗号化する。
【００４９】
Ｓ２０３では、無線タグ装置３０が、書込部５９により無線タグ２０ｂに暗号化されたタグ情報を書き込む（Ｓ２０３）。暗号化されたタグ情報は、無線タグ２０ｂのメモリ部２１のユーザエリア２１ｂに書き込まれる。
【００５０】
Ｓ３では第３暗号化処理が行われる。
【００５１】
Ｓ３０１では、無線タグ装置３０がコンピュータ装置６０から第２タグ情報を取得し（Ｓ３０１）、Ｓ３０２では、第２タグ情報を基に暗号化・復号化部５５が第３タグ情報を暗号化する（Ｓ３０２）。Ｓ３０３では、無線タグ装置３０が、書込部５９により無線タグ２０ｃに暗号化された第３タグ情報を書き込む（Ｓ３０３）。暗号化されたタグ情報は、無線タグ２０ｃのメモリ部２１のユーザエリア２１ｂに書き込まれる。
【００５２】
上記実施形態では、無線タグ装置３０は、コンピュータ装置６０から取得した第１タグ情報により無線タグ２０ｂに書き込まれるべき第２タグ情報を暗号化するとしたが、暗号化・復号化演算部５５が、無線タグ２０ａの第１タグ情報を暗号化するために使用したキーコードを読み込んで、無線タグ２０ａの第１タグ情報を復号化することにより第１タグ情報を取得してもよい。同様に、第３タグ情報を暗号化する際に使用する第２タグ情報は、無線タグ２０ｂから受信した暗号化された第2タグ情報を復号化して得てもよい。
【００５３】
図５に基づいて復号化処理の流れを説明する。図５は、復号化処理の流れを示すフローチャートであって、図５（ａ）は、復号化処理の全体を示すフローチャート、図５（ｂ）は、第１復号化処理を示すフローチャート、図５（ｃ）は、第２復号化処理を示すフローチャート、図５（ｄ）は、第３復号化処理を示すフローチャートである。
【００５４】
Ｓ４では、第１復号化処理が行われる（Ｓ４）。
【００５５】
Ｓ４０１では、無線タグ装置３０の制御部５８が、アンテナ部４０に内蔵されたメモリ部４２に記録されたキーコードを読み込む（Ｓ４０１）。
【００５６】
Ｓ４０２では、無線タグ装置３０が無線タグ２０ａから無線タグ２０ａのメモリ部２１に記録された暗号化された第１タグ情報を無線受信する（Ｓ４０２）。
【００５７】
Ｓ４０３では、暗号化・復号化演算部５５がＳ４０１で読み込んだキーコードを用いてＳ４０５で受信した第１タグ情報を復号化する（Ｓ４０６）。
【００５８】
Ｓ５では、第２復号化処理が行われる（Ｓ５）。
【００５９】
Ｓ５０１では、無線タグ装置３０は、無線タグ２０ｂから暗号化された第２タグ情報を受信する（Ｓ５０１）。
【００６０】
Ｓ５０２では、無線タグ装置３０の暗号化・復号化演算部５５が、Ｓ４０３において無線タグ２０ａの復号化処理した結果得られた復号情報（暗号化する前の第１タグ情報に相当）を復号化キーとして、Ｓ５０１で受信した第２タグ情報を復号化する（Ｓ５０２）。
【００６１】
Ｓ６では、第３復号化処理が行われる（Ｓ６）。
【００６２】
Ｓ６０１では、無線タグ装置３０は、無線タグ２０ｃから暗号化された第３タグ情報を受信する（Ｓ６０１）。
【００６３】
Ｓ６０２では、無線タグ装置３０の暗号化・復号化演算部５５が、Ｓ５０２において無線タグ２０ｂの復号化処理した結果得られた復号情報（暗号化する前の第２タグ情報に相当）を復号化キーとして、Ｓ６０１で受信した第３タグ情報を復号化する（Ｓ６０２）。
【００６４】
本実施の形態によれば、無線タグ２０ａ〜ｃと無線タグ装置３０との間で送受信されるタグ情報が暗号化されるため、無線傍受された場合にも第三者が解読することを防ぐことができる。また、復号化する場合には、無線タグ２０ａ〜ｃの正しい復号化順序によらなければ復号化をすることができない。そして、第１の復号化処理で使用する復号化キーは、無線タグ装置３０のアンテナ部４０に記録され、かつ復号化順序は管理情報であって無線タグ２０ａ〜ｃには記録されていないため、第三者によるタグ情報の解読をより困難にすることができる。
【００６５】
また、無線タグ２０ａ〜ｃに記録されるタグ情報を暗号化及び拭く復号化するにあたり一つのキーコードを用いればよく、無線タグの個数ほどにはキーコードを用意する必要がない。そのため、キーコードの管理が容易になる。
【００６６】
更に、暗号化及び復号化に使用されるキーコードを、アンテナ部４０のメモリ４２に記録させることにより、同機種、同機能を有するアンテナを備えた無線タグ装置３０であっても無線タグ２０のタグ情報の暗号化に使用されたアンテナでなければタグ情報を復号化することができず、第三者による解読をより防ぐことができる。また、リーダ・ライタ部５０と、アンテナ部４０とは分離可能であるため、アンテナ部４０の可搬性を向上させることができる。その結果、アンテナ部４０を他のリーダ・ライタ部５０に接続することにより、タグ情報の暗号化・及び復号化を行うことができる。
【００６７】
上記実施の形態では、Ｓ２においてタグ情報の暗号化を無線タグ装置３０の暗号化・復号化演算部５５が行ったが、暗号化・復号化演算部５５を実現するアプリケーションプログラムをコンピュータ装置６０にインストールし、コンピュータ装置６０でタグ情報を暗号化及び復号化してもよい。
【００６８】
この場合、Ｓ１で無線タグ装置３０の制御部５８がメモリ部４２から読み込んだキーコードをＩ／Ｆ部５１ｂを介してコンピュータ装置６０に出力する。コンピュータ装置６０は、インストールされた暗号化・復号化プログラムにより、無線タグ２０に書き込むべきタグ情報を暗号化する。暗号化されたタグ情報は、コンピュータ装置６０から無線タグ装置３０に出力される。無線タグ装置３０の制御部５８は、Ｉ／Ｆ部５１ｂを介して暗号化されたタグ情報を受信し、書込部５９がそのタグ情報を無線タグ２０に書き込む。これにより、暗号化されたタグ情報を無線タグ２０に書き込むことができる。復号化する場合には、無線タグ２０からアンテナ４１が受信した電波に基づく電気信号をＩ／Ｆ部５１ｂを介してコンピュータ装置６０に出力する。コンピュータ装置６０は、インストールされた暗号化・復号化プログラムにより、メモリ部４２に記録されたキーコードを用いて復号化を行う。これにより、タグ情報を復号化して解読することができる。
【００６９】
また、無線タグ２０にタグ情報を書き込む処理は、上記実施形態では書込部５９が行ったが、無線タグ２０の制御部２２が行っても良い。この場合、無線タグ装置３０の制御部は、無線タグ２０に書き込むべき暗号化されたタグ情報を変調部５６によりアナログ信号に変換し、送信増幅部５７がそのアナログ信号を電波で送信するために増幅する。増幅された信号は、Ｉ／Ｆ部５１ａ、Ｉ／Ｆ部４３を介してアンテナ４１から電波により無線タグ２０に送信される。無線タグ２０のアンテナ２５は、その電波を受信し、復調部２４がアナログ信号からデジタル信号に変換し、制御部２２がメモリ部２１のユーザエリア２１ｂに記録する。これにより、書込部５９によらずタグ情報を無線タグ２０に書き込むことができる。
【図面の簡単な説明】
【００７０】
【図１】無線タグ通信システム１の全体構成を示す概念図
【図２】無線タグ通信システム１の機能を説明するためのブロック図
【図３】無線タグ情報隠蔽方法の動作を説明するための概念図
【図４】暗号化処理の流れを示すフローチャート
【図５】復号化処理の流れを示すフローチャート
【符号の説明】
【００７１】
１：無線タグ通信システム１０：カメラ、２０：無線タグ、３０：無線タグ装置、４０：アンテナ部、５０：リーダ・ライタ部、６０：コンピュータ装置
【図１】
2007094873.tif 000003
【図２】
2007094873.tif 000004
【図３】
2007094873.tif 000005
【図４】
2007094873.tif 000006
【図５】
2007094873.tif 000007